(57)【要約】【課題】パンツ型の使い捨ておむつを効率よく収納し、上下方向へ積み重ねても不用意に崩れることがないおむつ収納形態を提供すること。【解決手段】隣接面が略直角に交差する六面体のパッケージ１Ａ内に、対向する前後身頃１６，１７と、胴周り開口２３を囲繞する胴周り端部１８と、脚周り開口２４の下方に位置する股下端部１９とを有する多数の使い捨ておむつ１０を、それらの身頃どうしを前後方向へ重ね合わせて稠密に収納したおむつ収納形態であり、そのパッケージ１Ａの内部には、胴周り端部１８がパッケージの頂面２ａの側に位置する第１のおむつ１０Ａと、胴周り端部１８がパッケージの底面２ｂの側に位置する第２のおむつ１０Ｂとが収納され、第１，２のおむつの各股下端部両側が、おむつ１０の内方へ折り込まれ、前後方向へ重なるおむつ１０からなる列Ｇでは、第１，第２のおむつ１０Ａ，１０Ｂの各個数が略同数である。【選択図】　　　図１
2004136952.tif 000002
【特許請求の範囲】
【請求項１】
可撓性を有するシートからなり、第１〜第６面を有して隣接する面が略直角に交差するパッケージと、互いに対向する前後身頃を備え、前記前後身頃の縦方向へ延びる胴周り側部の側縁近傍が連結されて胴周り開口と一対の脚周り開口とを有するパンツ型の使い捨ておむつとから構成され、前記おむつが、前記胴周り開口を囲繞する胴周り端部と、前記脚周り開口の下方に位置する股下端部とを有し、多数の前記おむつが、それらおむつの身頃どうしを重ね合わせた状態で前記パッケージ内部の対向面間に稠密に収納されたおむつ収納形態において、
前記おむつには、前記股下端部の幅方向中央から二股に分かれて前記脚周り開口の上方へ向かって延びる一対の第１折曲線が仮想され、前記股下端部の両側が、前記第１折曲線を介して前記おむつの内側へ向かって折り込まれ、
前記パッケージの内部には、前記胴周り端部が前記股下端部に対して該パッケージの前記第１面の側に位置する第１のおむつと、前記胴周り端部が前記股下端部に対して該パッケージの前記第１面に対向する前記第２面の側に位置する第２のおむつとが収納され、前記パッケージの内部では、前記第１および第２のおむつが一方向へ重なり合って列を形成し、前記列における前記第１および第２のおむつの個数が略同数であることを特徴とする前記収納形態。
【請求項２】
前記おむつが、肌当接側に位置する透液性表面シートと、肌非当接側に位置する不透液性裏面シートと、前記表裏面シートの間に介在して前記前後身頃間に延びる吸液性コアとから形成され、前記おむつには、前記コアの両側縁の外側近傍に位置して前記胴周り側部を縦方向へ延びる一対の第２折曲線が仮想され、前記おむつの前記胴周り側部が、前記第２折曲線を介して前記おむつの内側へ向かって折り込まれている請求項１に記載の前記収納形態。
【請求項３】
前記列では、前記第１のおむつの個数に対する前記第２のおむつの個数の差分が０〜±３個である請求項１又は２に記載の前記収納形態。
【請求項４】
前記パッケージの内部には、少なくとも２つの前記列が上下方向へ重なり合った状態で収納されている請求項１〜３のいずれかに記載の前記収納形態。
【請求項５】
前記パッケージの内部には、少なくとも２つの前記列が横方向へ並んだ状態で収納されている請求項１〜４のいずれかに記載の前記収納形態。
【発明の詳細な説明】
【０００１】
【発明の属する技術分野】
本発明は、パンツ型の使い捨ておむつを多数重ね合わせて収納するおむつ収納形態に関する。
【０００２】
【従来の技術】
透液性表面シートと不透液性裏面シートとの間に吸液性コアが介在するパンツ型の使い捨ておむつの収納形態の一例として、股下端部を後身頃の外面へ向かって折り曲げた多数のおむつを、隣り合うおむつの前身頃と後身頃とが互いに対向するように前後方向へ重ね合わせた状態でパッケージの内部に収納したものが知られている（例えば、特許文献１参照。）。パッケージの内部では、おむつの胴周り端部がパッケージの頂面の側に位置するとともに、おむつの股下端部がパッケージの底面の側に位置し、それらおむつが前後方向へ重なり合って列を形成している。
【０００３】
一般に使い捨ておむつは、コアが前後身頃の胴周り端部にまで達することはなく、胴周り端部を除く残余の部位の厚み寸法が胴周り端部のそれよりも大きい。特に、特許文献１の収納形態では、おむつの股下端部が後身頃の側へ折り曲げられているので、胴周り端部に比較して前記残余の部位の厚み寸法が一層大きくなっている。
【０００４】
【特許文献１】
特開平２０００−４２０２８号公報
【０００５】
【発明が解決しようとする課題】
特許文献１の収納形態では、前後方向へ重なる多数のおむつから形成された列の前後方向における厚み寸法がパッケージの頂面の側よりも底面の側で大きく、パッケージの底面における前後方向長さの限度までおむつを詰めたとしても、パッケージの頂面の側でおむつの胴周り端部どうしの間に隙間が生じ、パッケージにおけるおむつの収納効率が悪い。この収納形態では、パッケージの頂面の側に位置するおむつの胴周り端部が折れ曲がり易いので、多数のパッケージを上下方向へ積み重ねたときの安定性が悪く、積み重ねた状態にあるパッケージが不用意に崩れてしまう場合がある。
【０００６】
また、特許文献１の収納形態では、おむつの列を上下方向へ重ね合わせた状態でパッケージの内部に収納すると、上段のおむつの列が下段のおむつの胴周り端部を押し潰し、下段のおむつの胴周り端部に不規則な多数の皺が形成されてしまう場合がある。
【０００７】
本発明の目的は、パンツ型の使い捨ておむつを効率よく収納することができ、パッケージを上下方向へ積み重ねたとしても、パッケージが不用意に崩れてしまうことがないおむつ収納形態を提供することにある。
【０００８】
【課題を解決するための手段】
前記課題を解決するための本発明の前提は、可撓性を有するシートからなり、第１〜第６面を有して隣接する面が略直角に交差するパッケージと、互いに対向する前後身頃を備え、前記前後身頃の縦方向へ延びる胴周り側部の側縁近傍が連結されて胴周り開口と一対の脚周り開口とを有するパンツ型の使い捨ておむつとから構成され、前記おむつが、前記胴周り開口を囲繞する胴周り端部と、前記脚周り開口の下方に位置する股下端部とを有し、多数の前記おむつが、それらおむつの身頃どうしを重ね合わせた状態で前記パッケージ内部の対向面間に稠密に収納されたおむつ収納形態である。
【０００９】
前記前提における本発明の特徴として、前記おむつには、前記股下端部の幅方向中央から二股に分かれて前記脚周り開口の上方へ向かって延びる一対の第１折曲線が仮想され、前記股下端部の両側が、前記第１折曲線を介して前記おむつの内側へ向かって折り込まれ、前記パッケージの内部には、前記胴周り端部が前記股下端部に対して該パッケージの前記第１面の側に位置する第１のおむつと、前記胴周り端部が前記股下端部に対して該パッケージの前記第１面に対向する前記第２面の側に位置する第２のおむつとが収納され、前記パッケージの内部では、前記第１および第２のおむつが一方向へ重なり合って列を形成し、前記列における前記第１および第２のおむつの個数が略同数であることにある。
【００１０】
本発明の実施の態様の一例としては、前記おむつが、肌当接側に位置する透液性表面シートと、肌非当接側に位置する不透液性裏面シートと、前記表裏面シートの間に介在して前記前後身頃間に延びる吸液性コアとから形成され、前記おむつには、前記コアの両側縁の外側近傍に位置して前記胴周り側部を縦方向へ延びる一対の第２折曲線が仮想され、前記おむつの前記胴周り側部が、前記第２折曲線を介して前記おむつの内側へ向かって折り込まれている。
【００１１】
本発明の実施の態様の他の一例として、前記列では、前記第１のおむつの個数に対する前記第２のおむつの個数の差分が０〜±３個である。
【００１２】
本発明の実施の態様の他の一例として、前記パッケージの内部には、少なくとも２つの前記列が上下方向へ重なり合った状態で収納されている。
【００１３】
本発明の実施の態様の他の一例として、前記パッケージの内部には、少なくとも２つの前記列が横方向へ並んだ状態で収納されている。
【００１４】
【発明の実施の形態】
添付の図面を参照し、本発明にかかるおむつ収納形態の詳細を説明すると、以下のとおりである。
【００１５】
図１，２は、パッケージ１Ａの部分破断斜視図と、第３側面２ｅを破断した状態で示すパッケージ１Ａの側面図とであり、図３，４は、パッケージ１Ａから取り出したおむつ１０の斜視図と、胴周り側部２１の連結を解除した状態で示す図３のおむつ１０の展開平面図とである。図１，２では、横方向を矢印Ｘ、前後方向前方を矢印Ｙ１、前後方向後方を矢印Ｙ２で示し、上下方向を矢印Ｚで示す。図３，４では、胴周り方向を矢印Ｌ１（図３のみ）、幅方向を矢印Ｌ２で示し、縦方向を矢印Ｍ、脚周り方向を矢印Ｎ（図３のみ）で示す。
【００１６】
この収納形態は、隣接する面が略直角に交差する六面体のパッケージ１Ａと、パッケージ１Ａの内部に収納されたパンツ型の使い捨ておむつ１０とから構成されている。この収納形態では、多数のおむつ１０が前後方向（一方向）へ重なり合い、かつ、前後方向へ圧縮された状態でパッケージ１Ａの内部に稠密に収納されている。このパッケージ１Ａの内部では、前後方向へ重なり合う１０個のおむつ１０が列Ｇを形成し、横方向へ並ぶ２つの列の上にさらに横方向へ並ぶ２つの列が重なっている。パッケージ１Ａの内部には、合計４つの列Ｇが収納されている。
【００１７】
パッケージ１Ａは、可撓性を有するシートから形成され、前後方向へ長い略直方体を呈する。パッケージ１Ａは、上下方向に対向する略矩形の頂面（第１面）２ａおよび底面（第２面）２ｂと、前後方向に対向する略矩形の第１側面（第３面）２ｃおよび第２側面（第４面）２ｄと、横方向に対向する略矩形の第３側面（第５面）２ｅおよび第４側面（第６面）２ｆとから形成されている。それら側面２ｃ，２ｄ，２ｅ，２ｆは、頂面２ａの両端縁と両側縁とから上方へ延びる延出面２ｇを有する。第３および第４側面２ｅ，２ｆの延出面２ｇには、パッケージ１Ａの上方へ向かって弧を画く一対の取っ手３が取り付けられている。第１側面２ｃと第３側面２ｅとが交差するコーナー４には、図１に仮想線で示すように、上下方向へ延びるミシン目５が形成されている。パッケージ１Ａでは、ミシン目５に囲繞された第１側面２ｃと第３側面２ｅとの部位６を破ると、コーナー４におむつ１０の取り出し口が形成される。
【００１８】
おむつ１０は、不透液性外装シート１２と、外装シート１２の内側に配置された液吸収パネル１１とから構成されている。おむつ１０は、互いに対向する前身頃１６と後身頃１７とを有する。おむつ１０では、縦方向へ延びる胴周り側部２０が合掌状に重なり合い、胴周り側部２０の側縁近傍が縦方向へ間欠的に並ぶ多数の熱融着線２２を介して固着されている。おむつ１０には、胴周り開口２３と一対の脚周り開口２４とが形成されている。おむつ１０は、胴周り開口２３を囲繞して胴周り方向へ延びる胴周り端部１８と、脚周り開口２４を囲繞して脚周り方向へ延びる脚周り側部２１と、脚周り開口２４の下方に位置する股下端部１９とを有する。
【００１９】
外装シート１２（不透液性裏面シート）は、その面積がパネル１１のそれよりも大きく、その平面形状が実質的に砂時計型を呈する。外装シート１２は、互いに重なり合う２枚の疎水性繊維不織布２６，２７から形成されている。パネル１１は、図３，図４に示すように、肌当接側に位置する矩形の透液性シート１３（透液性表面シート）と、肌非当接側に位置する矩形の不透液性シート１４（不透液性裏面シート）と、それらシート１３，１４の間に介在してそれらシート１３，１４の内面に固着された吸液性コア１５とから形成されている。パネル１１は、それを形成するシートが外装シート１２を形成する不織布２６，２７に接着剤（図示せず）を介して固着されている。コア１５は、股下端部１９から胴周り端部１８に向かって延びている。おむつ１０では、コア１５が胴周り端部１８に存在せず、胴周り端部１８を除く残余の部位の厚み寸法が胴周り端部１８のそれよりも大きい。
【００２０】
おむつ１０には、一対の第１折曲線３０が形成されている。第１折曲線３０は、股下端部１９の幅方向中央で二股に分かれ、股下端部１９の幅方向中央から脚周り開口２４の上方へ向かって延びている。第１折曲線３０は、図４に示すように、略Ｖ字型を呈し、股下端部１９の幅方向中央と脚周り側部２１の側縁との間に延びている。股下端部１９の両側は、第１折曲線３０を介して折曲され、おむつ１０の内側に向かって折り込まれている。
【００２１】
この収納形態では、パッケージ１Ａの内部の列Ｇにおいて、胴周り端部１８が股下端部１９に対してパッケージ１Ａの頂面２ａの側に位置する第１のおむつ１０Ａと、胴周り端部１８が股下端部１９に対してパッケージ１Ａの底面２ｂの側に位置する第２のおむつ１０Ｂとが前後方向に交互に重なり合っている。列Ｇでは、第１のおむつ１０Ａの個数が５個、第２のおむつ１０Ｂの個数が５個であり、第１のおむつ１０Ａの個数と第２のおむつ１０Ｂの個数とが等しい。列Ｇでは、前後方向前方から前後方向後方へ向かって、第１のおむつ１０Ａの後身頃１７に、その直後に位置する第２のおむつ１０Ｂの前身頃１６が重なり、さらに、第２のおむつ１０Ｂの後身頃１７にその直後に位置する第１のおむつ１０Ａの前身頃１６が重なっている。
【００２２】
この収納形態では、列Ｇにおいて第１のおむつ１０Ａと第２のおむつ１０Ｂとが前後方向へ交互に重なり合うとともに、列Ｇにおける第１のおむつ１０Ａの個数と第２のおむつ１０Ｂの個数とが等しいので、おむつ１０Ａ，１０Ｂの胴周り端部１８を除く残余の部位の厚み寸法が胴周り端部１８の厚み寸法より大きいにもかかわらず、列Ｇの上方と下方とにおける前後方向の厚み寸法に差が生じることはない。このパッケージ１Ａでは、その前後方向長さの限度までおむつ１０を詰めたとしても、列Ｇの上方と下方とにおいておむつ１０どうしの間に隙間が生じることはなく、パッケージ１Ａにおけるおむつ１０の収納効率を向上させることができる。
【００２３】
この収納形態では、列Ｇの上方と下方とにおいておむつ１０どうしの間に隙間が生じることはないので、多数のパッケージ１Ａを上下方向に積み重ねたときの安定性が良く、下方に位置するパッケージ１Ａが上方に位置するパッケージ１Ａを確実に支えることができ、重ねられた状態にあるパッケージ１Ａが不用意に崩れてしまうことがない。
【００２４】
この収納形態では、列Ｇにおいて第１のおむつ１０Ａと第２のおむつ１０Ｂとが前後方向へ隙間なく重なっているので、おむつ１０の胴周り端部１８が折れ曲がり難い。ゆえに、このおむつ収納形態では、パッケージ１Ａ内のおむつ１０の列Ｇを上下方向へ２段に重ねた状態で収納したとしても、上段のおむつ１０の列Ｇが下段のおむつ１０の胴周り端部１８を押し潰してしまうことはなく、おむつ１０の胴周り端部１８に不規則な多数の皺が形成されることを防ぐことができる。
【００２５】
パネル１１は、幅方向へ延びる両端部１１ａと、縦方向へ延びる両側部１１ｂとを有する。パネル１１の両端部１１ａは、コア１５の両端縁１５ａの外側に延びるシート１３，１４から形成されている。パネル１１の両端部１１ａでは、シート１３，１４が互いに重なり合った状態でそれらシート１３，１４の内面どうしが固着されている。パネル１１の両側部１１ｂは、コア１５の両側縁１５ｂの外側に延びるシート１３，１４から形成されている。パネル１１の両側部１１ｂでは、シート１３，１４が互いに重なり合った状態でそれらシート１３，１４の内面どうしが固着されている。胴周り端部１８の側に位置するパネル１１の両側部１１ｂは、おむつ１０の幅方向内方へ向かって折り曲げられ、両端部１１ａに固着されている。パネル１１の両側部１１ｂには、縦方向へ延びる伸縮性弾性部材２９ｂが収縮可能に取り付けられている。弾性部材２９ｂは、シート１３，１４間に介在し、それらシート１３，１４の内面に固着されている。
【００２６】
胴周り端部１８は、パネル１１の両端部１１ａから縦方向外方へ延びる外装シート１２から形成されている。胴周り端部１８には、胴周り方向へ延びる複数条の胴周り用弾性部材２８が収縮可能に取り付けられている。胴周り用弾性部材２８は、不織布２６，２７の間に介在し、それら不織布２６，２７に固着されている。胴周り側部２０は、パネル１１の両側部１１ｂから幅方向外方へ延びる外装シート１２から形成されている。
【００２７】
脚周り側部２０は、パネル１１の両側部１１ｂと外装シート１２とから形成されている。脚周り側部２１には、脚周り方向へ延びる複数条の脚周り用弾性部材２９ａが収縮可能に取り付けられている。脚周り用弾性部材２９ａは、不織布２６，２７の間に介在し、それら不織布２６，２７に固着されている。
【００２８】
図４の平面図から図３のおむつ１０を作るには、前後身頃１６，１７が互いに対向するように、表面シート１３を内側にしておむつ１０を股下端部１９で二つに折曲し、胴周り側部２０の側縁近傍を固着した後、脚周り側部２１の両側を第１折曲線３０を介しておむつ１０の内側へ折り込めばよい。
【００２９】
おむつ１０では、図示はしていないが、それがパンツ型に成形されると、弾性部材２９ａが収縮してパネル１１の両側部１１ｂが表面シートの上方へ起立する。おむつ１０では、パネル１１の両側部１１ｂが排泄物に対する障壁を形成するので、排泄物がパネル１１の両側部１１ｂから外側へ漏れてしまうことを防ぐことができる。
【００３０】
図５，６は、他の収納形態を示すパッケージ１Ｂの部分破断斜視図と、パッケージ１Ｂから取り出したおむつ１０の斜視図とであり、図７は、胴周り側部２０の連結を解除した状態で示す図６のおむつ１０の展開平面図である。図５では、横方向を矢印Ｘ、前後方向前方を矢印Ｙ１、前後方向後方を矢印Ｙ２で示し、上下方向を矢印Ｚで示す。図６，７では、胴周り方向を矢印Ｌ１（図６のみ）、横方向を矢印Ｌ２で示し、縦方向を矢印Ｍで示す。
【００３１】
パッケージ１Ｂは、図１のそれと同様に、可撓性を有するシートから形成され、隣接する面が略直角に交差する六面体のものであり、前後方向へ長い略直方体を呈する。パッケージ１Ｂに収納されたおむつ１０は、図１のそれと同様のパンツ型の使い捨ておむつ１０である。このおむつ収納形態が図１のそれと異なる点は、以下のとおりである。
【００３２】
おむつ１０は、股下端部１９の両側が第１折曲線３０を介して折曲されておむつ１０の内側へ向かって折り込まれ、さらに、おむつ１０の胴周り側部２０が第２折曲線３２を介して折曲されておむつ１０の内側へ向かって折り込まれている。股下端部１９の折り込みは、図３のそれと同一であるので、その説明は省略する。第２折曲線３２は、図７に二点鎖線で示すように、胴周り側部２０の側縁間の幅寸法を二分する縦中心線３３と並行し、コア１５の両側縁１５ｂの外側近傍に位置して胴周り側部２０を縦方向へ延びている。
【００３３】
この収納形態では、胴周り端部１８が股下端部１９に対してパッケージ１Ｂの頂面２ａの側に位置する第１のおむつ１０Ａと、胴周り端部１８が股下端部１９に対してパッケージ１Ｂの底面２ｂの側に位置する第２のおむつ１０Ｂとが前後方向（一方向）に交互に重なり合っている。パッケージ１Ｂの内部では、前後方向へ重なり合う１０個のおむつ１０がパッケージ１Ａと同様に列Ｇを形成し、横方向へ並ぶ２つの列の上にさらに横方向へ並ぶ２つの列が重なっている。それらおむつ１０は、第１および第２側面２ｃ，２ｄ間に前後方向へ圧縮された状態で稠密に収納されている。列Ｇでは、第１のおむつ１０Ａの個数が５個、第２のおむつ１０Ｂの個数が５個であり、第１のおむつ１０Ａの個数と第２のおむつ１０Ｂの個数とが等しい。列Ｇでは、前後方向前方から前後方向後方へ向かって、第１のおむつ１０Ａの後身頃１７に、その直後に位置する第２のおむつ１０Ｂの前身頃１６が重なり、さらに、第２のおむつ１０Ｂの後身頃１７にその直後に位置する第１のおむつ１０Ａの前身頃１６が重なっている。
【００３４】
この収納形態では、第１のおむつ１０Ａの個数と第２のおむつ１０Ｂの個数とが等しいので、列Ｇの上方と下方とにおける前後方向の厚み寸法に差が生じることはない。この収納形態では、おむつ１０の股下端部１９の両側がおむつ１０の内側へ向かって折り込まれるとともに、おむつ１０の胴周り側部２０がおむつ１０の内側へ向かって折り込まれているので、図３のおむつ１０と比較し、おむつを一層コンパクトにすることができ、パッケージ１Ｂにおけるおむつの収納効率をさらに向上させることができる。
【００３５】
この収納形態では、列Ｇの上方と下方とにおいておむつ１０どうしの間に隙間が生じることはないので、多数のパッケージ１Ｂを上下方向に積み重ねたときの安定性が良く、重ねられた状態にあるパッケージ１Ｂが不用意に崩れてしまうことがない。この収納形態では、列Ｇにおいて第１のおむつ１０Ａと第２のおむつ１０Ｂとが前後方向へ隙間なく重なっているので、おむつ１０の胴周り端部１８が折れ曲がり難く、上段のおむつ１０の列Ｇが下段のおむつ１０の胴周り端部１８を押し潰してしまうことはない。
【００３６】
図８，９は、側面を破断した状態で示す他の収納形態のパッケージ１Ｃ，１Ｄの側面図である。それら図では、前後方向前方を矢印Ｙ１、前後方向後方を矢印Ｙ２で示し、上下方向を矢印Ｚで示す。
【００３７】
パッケージ１Ｃ，１Ｄは、図１のそれと同様に、可撓性を有するシートから形成され、隣接する面が略直角に交差する六面体のものであり、前後方向へ長い略直方体を呈する。おむつ１０は、図１のそれと同様のパンツ型の使い捨ておむつ１０である。パッケージ１Ｃ，１Ｄには、股下端部１９の両側が第１折曲線３０を介して折曲され、股下端部１９の両側がおむつ１０の内側へ向かって折り込まれた図３と同様のおむつ１０、または、股下端部１９の両側がおむつ１０の内側へ向かって折り込まれるとともに、おむつ１０の胴周り側部２０が第２折曲線３２を介して折曲され、胴周り側部２０がおむつ１０の内側へ向かって折り込まれた図６と同様のおむつ１０のうちのいずれか一方が収納されている。
【００３８】
図８の収納形態では、前後方向（一方向）へ重なる１１個のおむつ１０からなる１つの列Ｇがパッケージ１Ｃに収納されている。列Ｇは、５個の第１のおむつ１０Ａと６個の第２のおむつ１０Ｂとから形成されている。列では、５個の第１のおむつ１０Ａがパッケージ１Ｃの第１側面２ｃから前後方向中央に向かってひとつながりに並び、６個の第２のおむつ１０Ｂがパッケージ１Ｃの前後方向中央から第２側面２ｄに向かってひとつながりに並んでいる。それらおむつ１０は、第１および第２側面２ｃ，２ｄ間に前後方向へ圧縮された状態で稠密に収納されている。第１のおむつ１０Ａは、胴周り端部１８が股下端部１９に対してパッケージ１Ｃの頂面２ａの側に位置し、第２のおむつ１０Ｂは、胴周り端部１８が股下端部１９に対してパッケージ１Ｃの底面２ｂの側に位置している。
【００３９】
第１のおむつ１０Ａどうしは、パッケージ１Ｃの第１側面２ｃから前後方向中央に向かって、おむつ１０の後身頃１７に、その直後に位置するおむつ１０の前身頃１６が重なり、さらに、おむつ１０の後身頃１７に、その直後に位置するおむつ１０の前身頃１６が重なっている。第２のおむつ１０Ｂどうしは、パッケージ１Ｃの前後方向中央から第２側面２ｄに向かって、おむつ１０の後身頃１７に、その直後に位置するおむつ１０の前身頃１６が重なり、さらに、おむつ１０の後身頃１７に、その直後に位置するおむつ１０の前身頃１６が重なっている。
【００４０】
図８の収納形態では、列Ｇにおける第２のおむつ１０Ｂの個数が第１のおむつ１０Ａの個数よりも１つ多い。しかし、この収納形態では、パッケージ１Ｃの頂面２ａの側における列Ｇの前後方向の厚み寸法とパッケージ１Ｃの底面２ｂの側における列Ｇの前後方向の厚み寸法に実質的に差が生じることはなく、列Ｇの上方と下方とでおむつ１０どうしの間に隙間が生じることはないので、パッケージ１Ｃにおけるおむつ１０の収納効率を向上させることができる。また、この収納形態では、多数のパッケージ１Ｃを上下方向に積み重ねたときの安定性が良く、重ねられた状態にあるパッケージ１Ｃが不用意に崩れてしまうことはない。
【００４１】
図９の収納形態では、前後方向（一方向）へ重なる１８個のおむつ１０からなる１つの列Ｇがパッケージ１Ｄに収納されている。列Ｇは、９個の第１のおむつ１０Ａと９個の第２のおむつ１０Ｂとから形成されている。列では、第１のおむつ１０Ａが３個づつ前後方向へひとつながりに並び、第２のおむつ１０Ｂが３個づつ前後方向へひとつながりに並んでいる。列Ｇでは、３個一組の第１のおむつ１０Ａと３個一組の第２のおむつ１０Ｂとが前後方向へ交互に重なり合っている。それらおむつ１０は、第１および第２側面２ｃ，２ｄ間に前後方向へ圧縮された状態で稠密に収納されている。
【００４２】
第１のおむつ１０Ａは、胴周り端部１８が股下端部１９に対してパッケージ１Ｄの頂面２ａの側に位置している。第２のおむつ１０Ｂは、胴周り端部１８が股下端部１９に対してパッケージ１Ｄの底面２ｂの側に位置している。３個一組の第１のおむつ１０Ａどうしは、前方に位置するおむつの後身頃１７に、その後方に位置するおむつ１０Ａの前身頃１６が重なっている。３個一組の第２のおむつ１０Ｂどうしは、前方に位置するおむつ１０Ｂの後身頃１７に、その後方に位置するおむつ１０Ｂの前身頃１６が重なっている。第１のおむつ１０Ａと第２のおむつ１０Ｂとは、第１のおむつ１０Ａの後身頃１７と第２のおむつ１０Ｂの前身頃１６とが重なっている。
【００４３】
図９の収納形態では、第１のおむつ１０Ａの個数と第２のおむつ１０Ｂの個数とが等しいので、パッケージ１Ｄの頂面２ａの側における列Ｇの前後方向の厚み寸法とパッケージ１Ｄの底面２ｂの側における列Ｇの前後方向の厚み寸法とに差が生じることはない。この収納形態では、列Ｇの上方と下方とでおむつ１０どうしの間に隙間が生じることはなく、パッケージ１Ｄにおけるおむつ１０の収納効率を向上させることができる。また、この収納形態では、多数のパッケージ１Ｄを上下方向に積み重ねたときの安定性が良く、重ねられた状態にあるパッケージ１Ｄが不用意に崩れてしまうことがない。
【００４４】
図９の収納形態では、４個以上の第１のおむつ１０Ａが一組となるとともに、４個以上の第２のおむつ１０Ｂが一組となった状態で、第１のおむつ１０Ａの組と第２のおむつ１０Ｂの組とが前後方向へ交互に重なり合っていてもよい。
【００４５】
それら図示の収納形態では、列Ｇにおける第１のおむつ１０Ａの個数に対する第２のおむつ１０Ｂの個数の差分が０〜±３個の範囲にあることが好ましい。それら収納形態では、おむつ１０の列Ｇが上下方向へ３つ以上重なるとともに、列Ｇが横方向へ３つ以上並んだ状態で収納されていてもよい。また、それらパッケージ１Ａ，１Ｂ，１Ｃ，１Ｄの内部に収納されるおむつが着用時に前後身頃１６，１７の胴周り側部２０を連結するオープン型のものであってもよい。なお、パッケージ１Ａ，１Ｂ，１Ｃ，１Ｄの内部に収納されるおむつ１０の個数に特に限定はない。
【００４６】
また、それら図示のパッケージ１Ａ，１Ｂ，１Ｃ，１Ｄでは、第１側面２ｃを正面として第１側面２ｃから第２側面２ｄへ向かう方向を前後方向としているが、第３側面２ｅを正面として第３側面２ｅから第４側面２ｆへ向かう方向を前後方向とし、第１側面２ｃから第２側面２ｄへ向かう方向を横方向とすることもできる。この場合は、おむつ１０が第３側面２ｅから第４側面２ｆへ向かって重なり合い、第３側面２ｅと第４側面２ｆとの間に重なるおむつ１０から列Ｇが構成される。また、図示のパッケージ１Ａ，１Ｂ，１Ｃ，１Ｄでは、頂面２ａが第１面、底面２ｂが第２面とされ、第１〜第４側面２ｃ，２ｄ，２ｅ，２ｆがそれぞれ第３〜第６面とされたが、第１面を第１側面２ｃ、第２面を第２側面２ｄとし、第３〜第６面をそれぞれ頂面２ａ、底面２ｂ、第３側面２ｅ、第４側面２ｆとしてもよい。この場合は、おむつ１０が頂面２ａから底面２ｂへ向かって重なり合い、頂面２ａと底面２ｂとの間に重なるおむつ１０から列Ｇが構成される。
【００４７】
パッケージ１Ａ，１Ｂ，１Ｃ，１Ｄには、通気不透液性のプラスチックフィルム、通気不透液性の繊維不織布のいずれかを使用することができる。
【００４８】
透液性シート１３には、親水性繊維不織布、多数の開孔を有する疎水性繊維不織布、微細な多数の開孔を有するプラスチックフィルムのいずれかを使用することができる。不透液性シート１４には、疎水性繊維不織布、通気不透液性プラスチックフィルム、疎水性繊維不織布どうしをラミネートした複合不織布、疎水性繊維不織布と通気不透液性プラスチックフィルムとをラミネートした複合シートのいずれかを使用することができる。外装シート１２には、疎水性繊維不織布どうしをラミネートした複合不織布を使用することもできる。
【００４９】
不織布には、スパンレース、ニードルパンチ、メルトブローン、サーマルボンド、スパンボンド、ケミカルボンド、エアースルー、の各製法により製造されたものを使用することができる。不織布の構成繊維には、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００５０】
コア１５は、フラッフパルプと高吸収性ポリマー粒子との混合物、または、フラッフパルプと高吸収性ポリマー粒子と熱可塑性合成樹脂繊維との混合物であり、所定の厚みに圧縮されている。コア１５は、それの型崩れやポリマー粒子の脱落を防止するため、全体がティッシュペーパーや親水性繊維不織布等の透液性シートに包被されていることが好ましい。ポリマー粒子としては、デンプン系、セルロース系、合成ポリマー系のものを使用することができる。
【００５１】
シート１３，１４どうしの固着やシート１３，１４に対するコア１５の固着、シート１３，１４に対する弾性部材２９ｂの固着には、ホットメルト型接着剤、または、ヒートシールやソニックシール等の熱による溶着手段を利用することができる。
【００５２】
【発明の効果】
本発明にかかるおむつ収納形態では、股下端部の両側をおむつの内側へ向かって折り込んだ第１および第２のおむつがパッケージ内部の対向面間に稠密に収納され、略同数の第１および第２のおむつが一方向へ重なり合って列を形成している。この収納形態では、胴周り端部とそれを除く残余の部位との厚み寸法が異なる多数のおむつをパッケージの一方向長さの限度まで詰めたとしても、列の上方と下方とでおむつどうしの間に隙間が生じることはなく、パッケージにおけるおむつの収納効率を向上させることができる。
【００５３】
この収納形態では、列の上方と下方とにおいておむつどうしの間に隙間が生じることはないので、多数のパッケージを上下方向に積み重ねたときの安定性が良く、重ねられた状態にあるパッケージが不用意に崩れてしまうことがない。
【００５４】
この収納形態では、第１のおむつと第２のおむつとが前後方向へ隙間なく重なっているので、おむつの胴周り端部が折れ曲がり難く、パッケージの内部においておむつの列を上下方向へ２つ以上に重ねたとしても、上段のおむつの列が下段のおむつの胴周り端部を押し潰してしまうことはなく、おむつの胴周り端部に不規則な多数の皺が形成されることを防ぐことができる。
【００５５】
第１および第２のおむつが股下端部の両側のみならず胴周り側部をおむつの内側へ向かって折り込んだ収納形態では、それらおむつをよりコンパクトにすることができ、パッケージにおけるおむつの収納効率を一層向上させることができる。
【００５６】
第１のおむつの個数に対する第２のおむつの個数の差分が±３個以内にある収納形態では、列における第１のおむつの個数と第２のおむつの個数とが異なっていたとしても、列の上方と下方とにおける厚み寸法に実質的に差が生じることはなく、第１および第２のおむつの個数が等しい場合と同様の効果を得ることができる。
【図面の簡単な説明】
【図１】パッケージの部分破断斜視図。
【図２】おむつを露出させた状態で示すパッケージの側面図。
【図３】パッケージから取り出したおむつの斜視図。
【図４】図３のおむつを展開した平面図。
【図５】他のパッケージの部分破断斜視図。
【図６】図５のパッケージから取り出したおむつの斜視図。
【図７】図６のおむつを展開した平面図。
【図８】他のパッケージの一部を破断し、おむつを露出させて示す側面図。
【図９】他のパッケージの一部を破断し、おむつを露出させて示す側面図。
【符号の説明】
１Ａ，１Ｂ，１Ｃ，１Ｄ　パッケージ
２ａ　頂面（第１面）
２ｂ　底面（第２面）
１０　使い捨ておむつ
１０Ａ　第１のおむつ
１０Ｂ　第２のおむつ
１１　吸液性パネル
１２　外装シート（不透液性裏面シート）
１３　透液性シート（透液性表面シート）
１４　不透液性シート（不透液性裏面シート）
１５　吸液性コア
１５ａ　コアの端縁
１５ｂ　コアの側縁
１６　前身頃
１７　後身頃
１８　胴周り端部
１９　股下端部
２０　胴周り側部
２１　脚周り側部
２３　胴周り開口
２４　脚周り開口
３０　第１折曲線
３２　第２折曲線
３３　縦中心線
Ｇ　列
【図１】
2004136952.tif 000003
【図２】
2004136952.tif 000004
【図３】
2004136952.tif 000005
【図４】
2004136952.tif 000006
【図５】
2004136952.tif 000007
【図６】
2004136952.tif 000008
【図７】
2004136952.tif 000009
【図８】
2004136952.tif 000010
【図９】
2004136952.tif 000011